(57)【要約】【課題】屋外での使用が想定されるテレビジョン受像機にて、放熱及び防水効果を高める。【解決手段】テレビジョン受像機は、受像部が配備される前キャビネット10と、内部からの熱を放熱する後キャビネット11を具えている。後キャビネット11はフィン33を形成して外向きに露出した後フレーム3と該後フレーム3の開口31を覆う封止板4を具えている。該後フレーム3は金属製の後フレーム構成片30、30を繋ぎ合わせて構成され、フィン33は後フレーム構成片30と一体に形成されている。【選択図】図３
2008136040.tif 000002
【特許請求の範囲】
【請求項１】
受像部が配備される前キャビネット(10)と、内部からの熱を放熱する後キャビネット(11)を具え、
後キャビネット(11)はフィン(33)を形成して外向きに露出した後フレーム(３)と該後フレーム(３)の開口(31)を覆う封止板(４)を具え、
該後フレーム(３)は金属製の後フレーム構成片(30)(30)を繋ぎ合わせて構成され、フィン(33)は後フレーム構成片(30)と一体に形成されたことを特徴とするテレビジョン受像機。
【請求項２】
フィン(33)は金属の押し出し成形により、後フレーム構成片(30)と一体に形成された、請求項１に記載のテレビジョン受像機。
【請求項３】
前キャビネット(10)内にて、受像部であるパネルユニット(５)の前には、透明なカバー板(50)が取り付けられて、防水効果を持たせた、請求項１又は２に記載のテレビジョン受像機。
【発明の詳細な説明】
【技術分野】
【０００１】
本発明は、特に屋外で使用されることを想定したテレビジョン受像機に関する。
【背景技術】
【０００２】
図９は、従来のテレビジョン受像機の側面図である(特許文献１参照)。テレビジョン受像機(１)は、ブラウン管(59)又は受像パネルが嵌まる前キャビネット(10)と、合成樹脂製の後キャビネット(11)を具える。後キャビネット(11)に通気口(12)が開設されて、後キャビネット(11)内の熱を外に逃がす。
【０００３】
【特許文献１】特開平８−２０５０５１号公報
【発明の開示】
【発明が解決しようとする課題】
【０００４】
出願人は、屋外のような風雨にさらされる場所で使用されることが想定されるテレビジョン受像機を着想した。この場合、従来の構成であると、通気口(12)から水が入り、内部回路をショートさせる虞れがある。また、合成樹脂製の後キャビネット(11)は一般にコストが掛かる。そこで出願人は、後キャビネット(11)を金属製として、後キャビネット(11)自体で放熱効果を持たせるとともに、内部に水等が進入することを防ぐことを発案した。
本発明の目的は、屋外での使用が想定されるテレビジョン受像機にて、放熱及び防水効果を高めることにある。
【課題を解決するための手段】
【０００５】
テレビジョン受像機(１)は、受像部が配備される前キャビネット(10)と、内部からの熱を放熱する後キャビネット(11)を具え、
後キャビネット(11)はフィン(33)を形成して外向きに露出した後フレーム(３)と該後フレーム(３)の開口(31)を覆う封止板(４)を具え、
該後フレーム(３)は金属製の後フレーム構成片(30)(30)を繋ぎ合わせて構成され、フィン(33)は後フレーム構成片(30)と一体に形成されている。
【発明の効果】
【０００６】
フィン(33)を設けた金属製の後フレーム(３)が外向きに露出しているから、後キャビネット(11)が後フレーム(３)と封止板(４)によって密閉されていても、後キャビネット(11)内部からの熱は、外向きに放熱される。また、後キャビネット(11)が密閉されているから、後キャビネット(11)内部に水等が進入することを防ぐこともできる。
【発明を実施するための最良の形態】
【０００７】
以下、本発明の実施例を図を用いて、説明する。
図１は、本例のテレビジョン受像機(１)を前面から見た斜視図、図２は、後面から見た斜視図である。テレビジョン受像機(１)は、液晶パネル又はプラズマディスプレイパネル等の受像部が配備される前キャビネット(10)と、内部からの熱を放熱する後キャビネット(11)を具えている。両キャビネット(10)(11)の境界線は、図１、図２に於いて線Ｌにて示される。
後キャビネット(11)はフィン(33)を形成した金属製の後フレーム(３)からなり、該後フレーム(３)は４つの細長の後フレーム構成片(30)(30)を矩形状に繋ぎ合わせて構成される。フィン(33)は後フレーム構成片(30)の全長に亘って延びている。前キャビネット(10)は、４つの前フレーム構成片(20)(20)を矩形状に繋ぎ合わせて構成される。後フレーム(３)の後面開口(31)には、後記の如く、封止板(４)が被さって、後キャビネット(11)は密閉される。
本例に於けるテレビジョン受像機(１)は屋外で使用することを想定しており、後キャビネット(11)が密閉していることにより、内部に雨水等が進入する虞れを防いでいる。後キャビネット(11)内には、ファン(図示せず)が設けられて、内部の空気を循環させている。内部回路の発熱により、高温になった内部空気が循環されて後フレーム(３)に接することにより、外部に放熱される。
【０００８】
各後フレーム構成片(30)は、具体的にはアルミニウムの押出し成形から形成される。即ち、後フレーム構成片(30)は、アルミニウムを押出し成形した長尺材(図示せず)から、所望の長さに切り出して構成され、後フレーム構成片(30)の端面(30a)は後フレーム構成片(30)の長手方向に対して約４５度傾いている。これにより、隣り合う後フレーム構成片(30)(30)(30)を互いに略直交して繋ぐことができる。
図３は、図１をＢ−Ｂ線を含む面にて破断した断面図である。後フレーム構成片(30)は、複数のフィン(33)(34)を多段に具えており、後フレーム(３)の後面開口(31)には、封止板(４)が被さる。これにより、後キャビネット(11)が密閉されているから、後キャビネット(11)内部に水等が進入することを防ぐことができる。また、フィン(33)を設けた金属製の後フレーム(３)が外向きに露出しているから、後キャビネット(11)が後フレーム(３)と封止板(４)によって密閉されていても、後キャビネット(11)内部からの熱は、外向きに放熱される。
【０００９】
図３に示すように、前キャビネット(10)内にて、受像部であるパネルユニット(５)の前には、透明なカバー板(50)が取り付けられている。カバー板(50)はガラス又はアクリルから形成されており、パネルユニット(５)を傷等から保護すると共に、防水効果を持たせている。換言すれば、パネルユニット(５)の前面が露出している構成に比して、カバー板(50)によって前キャビネット(10)内への水の進入を防止でき、防水効果が高い。
また、カバー板(50)の周囲に、防水用のゴム環(図示せず)を設けてもよい。
【００１０】
前記の如く、後フレーム(３)の後面開口(31)には、封止板(４)が被さって、後キャビネット(11)を密閉する。図４は、封止板(４)の正面図である。封止板(４)上の点線で示す箇所には、透孔(40)が開設され、該透孔(40)に通気性で撥水性のシート材(41)が貼り付けられる。具体的には、ジャパンゴアテックス株式会社のゴアテックス(登録商標)が該当する。これにより、外部からの水滴は後キャビネット(11)内に入ることが防止されるが、内部からの加熱された空気は外に出ることができる。透孔(40)は図４に示す４箇所でも、上部２箇所であってもよい。
また、封止板(４)には、盗難防止用の連結具、具体的には図５に示すアイボルト(６)が取り付けらている。アイボルト(６)は支持板(60)上に半円形の止め具(61)を具え、該止め具(61)にチェーンを通し、該チェーンの一端部を柱や壁に固定することで、テレビジョン受像機(１)の盗難防止対策とすることができる。前記の如く、テレビジョン受像機(１)は屋外で使用することが想定されるので、かかる盗難防止対策が必要となる。
アイボルト(６)は、支持板(60)から突出したボルト(62)にて封止板(４)に螺合するが、ボルト(62)を設けずに、溶接又は接着にて封止板(４)に取り付けられてもよい。また、図６に示すように、止め輪(63)にボルト(62)を設けた構成でもよい。
【００１１】
封止板(４)には映像、音声通信用の端子(42)(42)の他に、遠隔操縦用の機器(９)が収納される凹面(43)が設けられている。凹面(43)には蓋体(図示せず)が被さり、ＪＩＳ規格ＩＰ５６に対応した防水、防塵効果が得られる。また、該機器(９)をテレビジョン受像機(１)内に収納することにより、テレビジョン受像機(１)を壁掛けて使用する際にも、機器(９)は支障とならない。
この遠隔操縦用の機器(９)とは、具体的には図７に示すように、多数のテレビジョン受像機(１)(１)と１つの制御装置(90)を接続する際に用いられるものであり、制御装置(90)と各テレビジョン受像機(１)を機器(９)を介して接続することにより、１台の制御装置(90)にて一度に多数のテレビジョン受像機(１)(１)の画像を切り換え表示することができる。また、機器(９)とネットワークを接続することにより、１台のテレビジョン受像機(１)をネットワークを介して制御することもできる。
【００１２】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
上記実施例にて、後フレーム構成片(30)のフィン(33)(34)の先端部は内向きに折曲されているが、図８に示すように、先端部が真っ直ぐ延びていてもよい。尚、図８では図３とは後フレーム構成片(30)を上下を逆にして示している。
また、上記例では、テレビジョン受像機(１)を屋外で使用することを想定しているが、屋外での使用に限定されず、屋内で使用してもよい。
【図面の簡単な説明】
【００１３】
【図１】テレビジョン受像機を前面から見た斜視図である。
【図２】テレビジョン受像機を後面から見た斜視図である。
【図３】図１をＢ−Ｂ線を含む面にて破断した断面図である。
【図４】封止板の正面図である。
【図５】アイボルトの斜視図である。
【図６】別のアイボルトの正面図である。
【図７】機器を介して多数のテレビジョン受像機と１つの制御装置を接続する状態を示す図である。
【図８】別の後フレーム構成片を示す断面図である。
【図９】従来のテレビジョン受像機の側面図である。
【符号の説明】
【００１４】
(３)  後フレーム
(４)  封止板
(５)  パネルユニット
(10)  前キャビネット
(11)  後キャビネット
(30)  後フレーム構成片
(33)  第１フィン
(50)  カバー板
【図１】
2008136040.tif 000003
【図２】
2008136040.tif 000004
【図３】
2008136040.tif 000005
【図４】
2008136040.tif 000006
【図５】
2008136040.tif 000007
【図６】
2008136040.tif 000008
【図７】
2008136040.tif 000009
【図８】
2008136040.tif 000010
【図９】
2008136040.tif 000011